(57)【特許請求の範囲】
【請求項１】
床面上を移動可能な移動式大便器であって、
汚物を一時的に受け止めるボウル部と、前記ボウル部下方に設けられ封水を形成するためのトラップ部と、を有する便器本体と、
前記便器本体を移動させるための移動機構と、を備え、
前記移動機構は、前記便器本体の後方下部に設けられ、前記便器本体がその前部を持ち上げられて傾斜することで、前記便器本体を床面上で移動可能とするように構成され、
前記便器本体の前方が持ち上げられた場合であっても、前記トラップ部から封水が流出しないように前記便器本体の傾斜角を規制角度内に規制する規制手段を備えることを特徴とする移動式大便器。
【請求項２】
前記規制手段は、前記便器本体の前方が持ち上げられた場合に、床面に接触することで前記傾斜角を規制することを特徴とする請求項１に記載の移動式大便器。
【請求項３】
前記規制手段は、床面と接触する際の衝撃を低減させる低減部材を有することを特徴とする請求項２に記載の移動式大便器。
【請求項４】
前記低減部材は、前記便器本体の前方が持ち上げられて規制手段と床面とが接触した際に、当該接触時点から前記便器本体の傾斜に対する抵抗強度を増大させ始め、当該抵抗強度の増大度合が、前記便器本体の傾斜角が増えることに伴って大きくなることを特徴とする請求項３に記載の移動式大便器。
【請求項５】
前記規制手段は、前記便器本体の前方が持ち上げられた場合に、床面に接触することで前記便器本体の移動円滑性を抑制することを特徴とする請求項１に記載の移動式大便器。
【請求項６】
前記規制手段は、前記便器本体の前方が持ち上げられた場合に、前記移動機構の動きを禁止することで前記便器本体の移動を規制することを特徴とする請求項１に記載の移動式大便器。
【請求項７】
前記規制角度よりも小さい報知角度が設定されており、
前記便器本体の傾斜角が前記報知角度になると、報知動作を行う報知手段を備えることを特徴とする請求項１に記載の移動式大便器。
【発明の詳細な説明】
【技術分野】
【０００１】
本発明は、床面上を移動可能な移動式大便器に関する。
【背景技術】
【０００２】
足腰が不自由な高齢者等にとっては、ベッド等から住宅のトイレ室までといった比較的短い距離であっても、歩行による移動は大きな負担となる。このため、排泄の度に介護者の補助を要する高齢者も少なくない。
【０００３】
このように歩行困難な高齢者等であっても、一人で排泄を行うことが可能となるように、ベッドの近傍に便器本体を設置したいという要望がある。一方、排泄行為に使用される機器である便器本体が、非排泄時までベッドの近傍に設置されることは通常好まれない。このように相反する要望に対応するため、住宅内で便器本体を移動可能とした移動式大便器が種々提案されている。
【０００４】
下記特許文献１には、車輪によって移動可能な移動式大便器が記載されている。この移動式大便器は、便器本体の後方下部のみに車輪が設けられている。高齢者が着座して排泄を行う際は、この車輪と、便器本体の前方下部とで床面に接地することで、便器本体は床面に対し固定される。一方、移動させる際には、便器本体の前方側が持ち上げられることで傾斜し、車輪のみで支持される。この車輪が床面上で回転することにより、便器本体全体を持ち上げることなく、移動させることが可能となる。
【先行技術文献】
【特許文献】
【０００５】
【特許文献１】特開２００６−１０２３４０号公報
【発明の概要】
【発明が解決しようとする課題】
【０００６】
上記移動式大便器の便器本体は、汚物を一時的に受け止めるボウル部と、ボウル部下方に設けられ封水を形成するためのトラップ部と、を有している。便器本体の前方側が持ち上げられ、移動式大便器が床面上を移動するとトラップ部の封水を形成する水が揺さぶられ、一部の水がトラップ部から溢れでてしまうことが考えられる。トラップ部の封水を形成する水が減ってしまうと、いわゆる封水切れが発生し、臭気がボウル部を経由して室内へと流れ出るおそれがある。
【０００７】
本発明はこのような課題に鑑みてなされたものであり、その目的は、床面上を移動可能な移動式大便器であって、便器本体の前方側を持ち上げて移動させたとしても、トラップ部の封水切れを低減することができる移動式大便器を提供することにある。
【課題を解決するための手段】
【０００８】
上記課題を解決するために、本発明に係る移動式大便器は、床面上を移動可能な移動式大便器であって、汚物を一時的に受け止めるボウル部と、ボウル部下方に設けられ封水を形成するためのトラップ部と、を有する便器本体と、便器本体を移動させるための移動機構と、を備える。移動機構は、便器本体の後方下部に設けられ、便器本体がその前部を持ち上げられて傾斜することで、便器本体を床面上で移動可能とするように構成されている。本発明では更に、便器本体の前方が持ち上げられた場合であっても、トラップ部から封水が流出しないように便器本体の傾斜角を規制角度内に規制する規制手段を備えている。
【０００９】
本発明によれば、便器本体の前方が持ち上げられた場合であっても、トラップ部から封水が流出しないように便器本体の傾斜角を規制角度内に規制する規制手段を備えているので、トラップ部の封水が揺れ動いたとしてもトラップ部から溢れ出ないようにすることができる。従って、便器本体の前方側を持ち上げて移動させたとしても、トラップ部の封水切れを低減することができる。
【００１０】
また本発明に係る移動式大便器では、規制手段は、便器本体の前方が持ち上げられた場合に、床面に接触することで傾斜角を規制することも好ましい。
【００１１】
この好ましい態様によれば、床面に接触して便器本体の傾動を規制する規制手段を設けることで、複雑な機構を設けることなく簡便な構成で便器本体の傾斜角を規制することができる。
【００１２】
また本発明に係る移動式大便器では、規制手段は、床面と接触する際の衝撃を低減させる低減部材を有することも好ましい。
【００１３】
この好ましい態様によれば、低減部材によって規制手段が床面に接触する際の衝撃を低減させることができる。この衝撃低減効果により、規制手段が床面に接触した際の衝撃によってトラップ部の封水が必要以上に揺さぶられることを抑制することができ、トラップ部の封水が揺れ動いたとしてもトラップ部から溢れ出ないようにすることができる。
【００１４】
また本発明に係る移動式大便器では、低減部材は、便器本体の前方が持ち上げられて規制手段と床面とが接触した際に、当該接触時点から便器本体の傾斜に対する抵抗強度を増大させ始め、当該抵抗強度の増大度合が、便器本体の傾斜角が増えることに伴って大きくなることも好ましい。
【００１５】
この好ましい態様によれば、急激に便器本体の前方を持ち上げ、規制手段が比較的速い速度で床面に接触し始めた場合であっても、低減部材は規制手段と床面との接触時点から便器本体の傾斜に対する抵抗強度を増大させ始めることができる。従って、急激な減速ではなくトラップ部の封水を極力揺らさないような緩やかな減速をさせることができる。また、抵抗強度の増大度合が、便器本体の傾斜角が増えることに伴って大きくなるので、緩やかに規制手段と床面とを当接させつつも、確実に便器本体の傾斜速度を減少させ、所定の傾斜角で傾動を停止させることができる。
【００１６】
また本発明に係る移動式大便器では、規制手段は、便器本体の前方が持ち上げられた場合に、床面に接触することで便器本体の移動円滑性を抑制することも好ましい。
【００１７】
この好ましい態様によれば、規制手段が便器本体の移動円滑性を抑制するので、便器本体の前方を持ち上げて移動する際の移動速度を低減することができ、トラップ部の封水の揺れ動きを抑制することができる。従って、何ら抑制しない場合に比較して、便器本体の傾斜角をより大きな角度まで許容することができ、例えば身長が高い人が便器本体の前方を持ち上げるような場合にも対応することができる。
【００１８】
また本発明に係る移動式大便器では、規制手段は、便器本体の前方が持ち上げられた場合に、移動機構の動きを禁止することで便器本体の移動を規制することも好ましい。
【００１９】
この好ましい態様によれば、移動機構の動きを直接禁止するので、確実に便器本体の移動を規制することができる。
【００２０】
また本発明に係る移動式大便器では、規制角度よりも小さい報知角度が設定されており、便器本体の傾斜角が報知角度になると、報知動作を行う報知手段を備えることも好ましい。
【００２１】
この好ましい態様によれば、規制角度に到達する前に報知角度まで便器本体が傾斜した場合に報知するので、更に勢い良く便器本体を傾けることを抑制する効果がある。従って、トラップ部の封水が揺れ動いたとしてもトラップ部から溢れ出ないようにする規制手段の効果をより高めることができる。
【発明の効果】
【００２２】
本発明によれば、床面上を移動可能な移動式大便器であって、便器本体の前方側を持ち上げて移動させたとしても、トラップ部の封水切れを低減することができる移動式大便器を提供することができる。
【図面の簡単な説明】
【００２３】
【図１】本発明の実施形態に係る移動式大便器の外観を示す図である。
【図２】図１に示した移動式大便器の構造を模式的に示す断面図である。
【図３】図１に示した移動式大便器を傾斜させた状態を模式的に示す断面図である。
【図４】図１に示した移動式大便器の傾斜を規制している状態を模式的に示す断面図である。
【図５】図２に示した移動式大便器の変形例を示す断面図である。
【図６】図５に示した移動式大便器を傾斜させた状態を模式的に示す断面図である。
【発明を実施するための形態】
【００２４】
以下、添付図面を参照しながら本発明の実施形態について説明する。説明の理解を容易にするため、各図面において同一の構成要素に対しては可能な限り同一の符号を付して、重複する説明は省略する。
【００２５】
まず、本発明の実施形態に係る移動式大便器について、図１及び図２を参照しながら説明する。図１は、本発明の実施形態に係る移動式大便器ＭＳの外観を示す図である。図２は、図１に示した移動式大便器の構造を模式的に示す断面図である。
【００２６】
図１に示されるように、移動式大便器ＭＳは、住宅の床面Ｆ上に設置される移動式大便器である。
【００２７】
この移動式大便器ＭＳには、排水配管３００及び給水配管４００の端部が接続されている。排水配管３００は可撓性を有し、その他端部の排水接続部３１０において、住宅の壁面Ｗに設けられた給排水コンセント５００に接続されている。同様に、給水配管４００も可撓性を有し、その他端部の給水接続部４１０において、給排水コンセント５００に接続されている。排水接続部３１０及び給水接続部４１０は、給排水コンセント５００に対し着脱自在となっている。
【００２８】
後述するように、移動式大便器ＭＳは、使用者が排泄した汚物をボウル部１１１で受け止めた後、排水配管３００を介して当該汚物を圧送する。排水配管３００は、排水接続部３１０及び給排水コンセント５００を介して下水管（不図示）に連通しており、圧送された汚物は下水管に排出される。
【００２９】
また、汚物を受け止めたボウル部１１１の洗浄のため、給水配管４００を介してボウル部１１１に水が供給される。給水配管４００は、給水接続部４１０及び給排水コンセント５００を介して水道管に連通しており、水道管から水が供給される。
【００３０】
給排水コンセント５００は、住宅内の複数の居室の壁面Ｗに設けられている。このため、住宅内で移動式大便器ＭＳを移動させ、排水接続部３１０及び給水接続部４１０を各居室の給排水コンセント５００に接続することで、各居室において移動式大便器ＭＳを使用可能な状態とすることができる。
【００３１】
図２に示されるように、移動式大便器ＭＳは、便器本体１００と、車輪２００（移動機構）と、を備えている。便器本体１００は、ボウル部１１１と、排出流路１１３と、処理装置１４０と、洗浄水供給装置１５０と、を有している。
【００３２】
ボウル部１１１は、上方が開放されたすり鉢状に形成されており、使用者が排出した汚物を一時的に受け止める。ボウル部１１１の上端部には、略水平な面を有するリム部１１２が形成されており、このリム部１１２上に便座１３０が載置されている。使用者は、この便座１３０に自身の臀部を乗せて（着座して）排泄を行う。
【００３３】
排出流路１１３は、その一端がこのボウル部１１１の下端部に接続されている。排出流路１１３は、トラップ１１４と、下流流路１１５と、を有している。トラップ１１４は、その下流側端部が上方に向けて延びるように形成されることで、その内部に水を貯留することができる。また、下流流路１１５は、そのトラップ１１４の下流側端部から下方に折り返すように延びている。これにより、トラップ１１４の内部に貯留される水は、下流流路１１５からボウル部１１１側への気体の逆流を防止する封水として機能する。
【００３４】
処理装置１４０は、便器本体１００から排出された汚物及び洗浄水（以下、両者をまとめて「汚水」とも称する）を攪拌して流動性を高めた状態で、下水管に向けて圧送し排出する装置である。処理装置１４０は、貯留槽１４１と、パルセータ１４３と、を有している。
【００３５】
貯留槽１４１は、汚水を内部に貯留するための略円筒形状に形成された容器であって、その前方側の側面に排出流路１１３の下流流路１１５が接続されている。また、貯留槽１４１の後方側の側面には、排水配管３００が接続されている。これにより、ボウル部１１１、排出流路１１３、貯留槽１４１、排水配管３００は、内部が連通した状態となっている。
【００３６】
パルセータ１４３は、貯留槽１４１の中心軸に沿って配置された棒状のシャフト１４２の下端に対して固定され、貯留槽１４１の内部の底面近傍に配置されている。シャフト１４２の上端は、貯留槽１４１の上部に配置されたモータの出力軸に対し固定されている。
【００３７】
当該モータが動作すると、シャフト１４２がその中心軸周りに回転し、パルセータ１４３が回転する。このパルセータ１４３の回転により、貯留槽１４１に貯留されている汚水が攪拌され、汚物（排泄物）が粉砕されながら洗浄水と混合されるため、汚水の流動性が高められる。
【００３８】
パルセータ１４３により流動性を高められた汚水は、貯留槽１４１から排水配管３００に圧送される。この汚水は、排水配管３００、排水接続部３１０及び給排水コンセント５００を介して、下水管に排出される。
【００３９】
洗浄水供給装置１５０は、ボウル部１１１に対して洗浄のための水（洗浄水）を供給する装置である。洗浄水供給装置１５０は、タンク１５１と、内部流路１５４と、を有している。
【００４０】
タンク１５１は、その内部に水を貯留する容器であり、ボウル部１１１の後方に設けられている。タンク１５１の後方寄りの側面には、給水配管４００が接続されている。これにより、水道管から給排水コンセント５００、給水接続部４１０及び給水配管４００を介して供給される水がタンク１５１の内部に流入する。
【００４１】
内部流路１５４は、タンク１５１の内部に貯留された水をボウル部１１１に供給する流路である。内部流路１５４は、一端部がタンク１５１の前方寄りの側面に接続され、他端部がボウル部１１１の上部に接続されている。また、タンク１５１とボウル部１１１との間には、内部流路１５４の開閉を行うバルブ１５５が設けられている。バルブ１５５が内部流路１５４を開放することにより、タンク１５１の内部の水が内部流路１５４に流入し、ボウル部１１１の上部に供給される。この水は、ボウル部１１１の表面を下方に流れることにより、使用後のボウル部１１１の洗浄が行われる。
【００４２】
ここで、タンク１５１には、空気導入口１５２が設けられている。空気導入口１５２は、タンク１５１を貫通してその内外を連通させる円形の孔である。
【００４３】
タンク１５１の内部の水が、内部流路１５４を介して外部に排出されると、タンク１５１の内部が負圧となり、空気が空気導入口１５２を介してタンク１５１の内部に導入される。すなわち、タンク１５１の内部に貯留されていた水と置換するように、外部から空気が導入される。一方、給水配管４００を介してタンク１５１に水を供給する際は、流入する水によってタンク１５１の内部が正圧となり、空気導入口１５２を介して空気がタンク１５１の外部に排出される。すなわち、タンク１５１の内部に供給される水と置換するように、空気が外部に排出される。
【００４４】
この空気導入口１５２は、タンク１５１の前方寄りの部分であって、タンク１５１の内部に貯留されている水の水面よりも上方に、１つだけ設けられている。タンク１５１の後方寄りの部分は、外部から空気を導入させないように遮蔽されている。
【００４５】
空気導入口１５２には、空気導入管１５３が挿通された状態で固定されている。空気導入管１５３は、空気導入口１５２の外周縁に沿うように円筒状に形成され、タンク１５１から外方に向けて突出する外部管１５３ａと、タンク１５１の内部に向けて突出する内部管１５３ｂと、からなる。
【００４６】
車輪２００は、便器本体１００の後方下部に２つ設けられている（図２では、手前側の車輪２００のみを図示している）。便器本体１００は、この２つの車輪２００と、前方下部に設けられる脚部１７０とによって、３点において下方から支持されることで、床面Ｆ上に載置されている。この３点における支持により、便器本体１００のリム部１１２は略水平となり、使用者が便座１３０に着座して排泄を行うことができる。便器本体１００の前方下部が、脚部１７０によって床面Ｆに対し不動に支持されることで、使用者は安定した姿勢で排泄を行うことができる。
【００４７】
また、便器本体１００の後方下部には、突起１８０（規制手段）が設けられている。突起１８０は、車輪２００の更に後方から、下方に向けて突出するように設けられている。
【００４８】
次に、図３及び図４を参照しながら、以上のように構成された移動式大便器ＭＳの移動及び傾斜について説明する。図３は、図１に示した移動式大便器ＭＳを傾斜させた状態を模式的に示す断面図である。図４は、図１に示した移動式大便器ＭＳの傾斜を規制している状態を模式的に示す断面図である。
【００４９】
図３に示されるように、非排泄時に移動式大便器ＭＳを移動させる際は、便器本体１００の前部を持ち上げることで、脚部１７０を床面Ｆから離間させた状態とする。これにより、便器本体１００は、車輪２００を中心として回転して傾斜した状態となる。また、便器本体１００は、車輪２００のみによって床面Ｆ上で支持されて、移動可能な状態となる。
【００５０】
このように便器本体１００が傾斜することにより、タンク１５１の内部において水面の変動が生じる。まず、タンク１５１の後方寄りの部分では、その内壁に沿って水面が上昇する。しかしながら、前述したように、タンク１５１の後方寄りの部分は、外部から空気を導入させないように遮蔽されている。したがって、この水面上昇によって、タンク１５１内部の水が流出することはない。
【００５１】
一方、タンク１５１内部に空気を導入させる空気導入口１５２は、タンク１５１の前方寄りの部分に設けられている。このタンク１５１の前方寄りの部分では、便器本体１００の前部を持ち上げて傾斜させると、内壁に沿って水面が下降する。したがって、タンク内部の水が空気導入口１５２を介して流出してしまうことを防止することができる。
【００５２】
また、移動式大便器ＭＳでは、便器本体１００の傾斜角度が所定値以下となるように規制している。すなわち、図５に示されるように、便器本体１００の前部を持ち上げて傾斜させると、便器本体１００の底面と床面Ｆとがなす角度が角度θとなったところで、便器本体１００の後方下部に設けられた突起１８０が床面Ｆと当接するように構成されている。これにより、便器本体１００が、角度θ以上傾斜しないように規制している。
【００５３】
このように本実施形態では、便器本体１００の前方が持ち上げられた場合であっても、トラップ１１４から封水が流出しないように便器本体１００の傾斜角を規制角度内に規制する規制手段としての突起１８０を備えている。本実施形態によれば、便器本体１００の前方が持ち上げられた場合であっても、トラップ１１４から封水が流出しないように便器本体１００の傾斜角を規制角度内に規制する規制手段としての突起１８０を備えているので、トラップ１１４の封水が揺れ動いたとしてもトラップ１１４から溢れ出ないようにすることができる。従って、便器本体１００の前方側を持ち上げて移動させたとしても、トラップ１１４の封水切れを低減することができる。
【００５４】
また、突起１８０は、便器本体１００の前方が持ち上げられた場合に、床面Ｆに接触することで傾斜角を規制している。床面Ｆに接触して便器本体１００の傾動を規制する突起１８０を設けることで、複雑な機構設けることなく簡便な構成で便器本体１００の傾斜角を規制することができる。
【００５５】
また、突起１８０は、床面Ｆと接触する際の衝撃を低減させる低減部材を有するように構成されている。本実施形態では、突起１８０全体をゴムで形成することで、突起１８０全体が低減部材として機能するように構成している。
【００５６】
このように、低減部材として機能するように突起１８０を構成することで、突起１８０が床面Ｆに接触する際の衝撃を低減させることができる。この衝撃低減効果により、突起１８０が床面Ｆに接触した際の衝撃によってトラップ１１４の封水が必要以上に揺さぶられることを抑制することができ、トラップ１１４の封水が揺れ動いたとしてもトラップ１１４から溢れ出ないようにすることができる。
【００５７】
また、低減部材としても機能する突起１８０は、便器本体１００の前方が持ち上げられて床面Ｆと接触した際に、当該接触時点から便器本体１００の傾斜に対する抵抗強度を増大させ始め、当該抵抗強度の増大度合が、便器本体１００の傾斜角が増えることに伴って大きくなるように構成されている。
【００５８】
このようなクッション効果を有することで、急激に便器本体１００の前方を持ち上げ、突起１８０が比較的速い速度で床面Ｆに接触し始めた場合であっても、突起１８０は床面Ｆとの接触時点から便器本体１００の傾斜に対する抵抗強度を増大させ始めることができる。従って、急激な減速ではなくトラップ１１４の封水を極力揺らさないような緩やかな減速をさせることができる。また、抵抗強度の増大度合が、便器本体１００の傾斜角が増えることに伴って大きくなるので、緩やかに突起１８０と床面Ｆとを当接させつつも、確実に便器本体１００の傾斜速度を減少させ、所定の傾斜角で傾動を停止させることができる。
【００５９】
また、突起１８０は、便器本体１００の前方が持ち上げられた場合に、床面Ｆに接触することで便器本体１００の移動円滑性を抑制するようにも構成されている。
【００６０】
このように、突起１８０が便器本体１００の移動円滑性を抑制するので、便器本体１００の前方を持ち上げて移動する際の移動速度を低減することができ、トラップ１１４の封水の揺れ動きを抑制することができる。従って、何ら抑制しない場合に比較して、便器本体１００の傾斜角をより大きな角度まで許容することができ、例えば身長が高い人が便器本体１００の前方を持ち上げるような場合にも対応することができる。
【００６１】
また本実施形態に係る移動式大便器ＭＳでは、本発明に係る規制手段は、便器本体１００の前方が持ち上げられた場合に、移動機構である車輪２００の動きを禁止することで便器本体１００の移動を規制することも好ましい態様である。このような変形例を図５及び図６に示す。
【００６２】
図５は、図２に示した移動式大便器ＭＳの変形例である移動式大便器ＭＳＡを示す断面図である。図６は、図５に示した移動式大便器ＭＳＡを傾斜させた状態を模式的に示す断面図である。
【００６３】
移動式大便器ＭＳＡでは、移動式大便器ＭＳに対して、車輪２００を制動するためのブレーキＢＫを設けている。また、ブレーキＢＫを制御するためのコントローラＣＵ、突起１８０の先端に設けられたセンサ１８０ａも設けられている。
【００６４】
図６に示されるように、移動式大便器１００の先端が持ち上げられて突起１８０が床面Ｆに接触すると、そのことを示す信号がセンサ１８０ａからコントローラＣＵに送信される。コントローラＣＵは、その接触信号に応じて、ブレーキＢＫに対して制動信号を出力する。ブレーキＢＫは、制動信号に応じて駆動され、車輪２００を押さえつけて回転を抑止する。
【００６５】
このように、移動機構である車輪２００の動きを直接禁止するので、確実に便器本体１００の移動を規制することができる。
【００６６】
また本実施形態に係る移動式大便器ＭＳ，ＭＳＡでは、規制角度（４に示した角度θ）よりも小さい報知角度を設定し、便器本体１００の傾斜角が報知角度になると、報知動作を行う報知手段を備えることも好ましいものである。
【００６７】
この好ましい態様によれば、規制角度に到達する前に報知角度まで便器本体１００が傾斜した場合に報知するので、更に勢い良く便器本体１００を傾けることを抑制する効果がある。従って、トラップ１１４の封水が揺れ動いたとしてもトラップ１１４から溢れ出ないようにする規制手段である突起１８０や、ブレーキＢＫ及びセンサ１８０ａの効果をより高めることができる。
【００６８】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【００６９】
１００：便器本体
１１１：ボウル部
１１４：トラップ
１５１：タンク
１５２：空気導入口
１５３ａ：外部管
１５３ｂ：内部管
１８０：突起（規制手段）
２００：車輪（移動機構）
ＭＳ：移動式大便器
【図１】
0006474020.tif 000002
【図２】
0006474020.tif 000003
【図３】
0006474020.tif 000004
【図４】
0006474020.tif 000005
【図５】
0006474020.tif 000006
【図６】
0006474020.tif 000007